(57)【要約】【課題】      本発明は、帯状の台紙に仮着されたラベル片の残枚数に近似する枚数として把握することができ指標プレートを提供することを課題とする。【解決手段】  帯状の台紙にラベル片が複数仮着されたラベル連続体を円筒状の巻き芯に巻回したロール状ラベル連続体のラベル片の残枚数を確認する指標プレート１において、指標プレート本体２と、この指標プレート本体２に、ロール状ラベル連続体のラベル片の残枚数を確認する指標４と、巻き芯の外縁または内縁と同一円形のサークルライン６と、を設けたことを特徴とする指標プレート１にある。【選択図】    図１
2008207950.tif 000002
【特許請求の範囲】
【請求項１】
帯状の台紙にラベル片が複数仮着されたラベル連続体を円筒状の巻き芯に巻回したロール状ラベル連続体の前記ラベル片のラベル枚数を確認する指標プレートにおいて、
指標プレート本体と、
この指標プレート本体に、前記ロール状ラベル連続体の前記ラベル片のラベル枚数を確認する指標部と、前記巻き芯の外縁または内縁と同一円形の基準ラインと、を設けたことを特徴とする指標プレート。
【請求項２】
前記指標プレート本体には、前記ラベル片のラベルピッチを表示するピッチ表示部を設けたことを特徴とする請求項１記載の指標プレート。
【請求項３】
前記指標プレート本体には、前記巻き芯の内周面に当接する少なくとも一の突片を設けたことを特徴とする請求項１または２記載の指標プレート。
【請求項４】
前記巻き芯の内周円の直径と同一の貫通口を前記指標プレート本体に形成したことを特徴とする請求項１または２記載の指標プレート。
【発明の詳細な説明】
【技術分野】
【０００１】
本発明は、帯状の台紙にラベル片が複数仮着されたラベル連続体を巻き芯に巻回したロール状ラベル連続体のラベル枚数を確認する指標プレートに関する。
【背景技術】
【０００２】
図５に基づいてロール状ラベル連続体について説明する。  
帯状の台紙Ｄにラベル片Ｌが複数仮着されたラベル連続体Ｐを円筒状の巻き芯９に巻回したロール状ラベル連続体Ｒがある。
ラベル連続体Ｐに仮着されたラベル片Ｌは所定の間隔をおいて複数仮着されており、ラベル片Ｌの先端と、次のラベル片Ｌの先端のラベルピッチＬＰの間隔で仮着されている。
また、ラベル片が所定の間隔で仮着されたほぼ同一の間隔で帯状の台紙の裏面に印刷された黒色の矩形のピッチマークＭを有し、このピッチマークＭをラベルピッチＬＰとすることができる。
ロール状ラベル連続体Ｒは、用紙供給軸を備えたプリンタ（図示せず）に装填され、
ラベル連続体Ｐとして先端を引き出されてプラテンローラ、サーマルヘッドなどを配置された印字部（図示せず）に供給してラベル片Ｌに印字を行うことができる。
尚、９ａは巻き芯９の外縁であり、９ｂは巻き芯９の内縁である。
【０００３】
図示しないプリンタは、ロール状ラベル連続体Ｒを装填することができるように、プリンタの側面を開閉可能な開閉カバー（図示せず）を備えている。
この開閉カバーを開くことにより、ロール状ラベル連続体Ｒの装填あるいはメンテナンスを可能としている。また、開閉カバーにはロール状ラベル連続体Ｒを確認することができる透明の確認窓などが設けられ、ロール状ラベル連続体Ｒの巻き量を確認することができるようにしてある。
【０００４】
また、ロール状ラベル連続体Ｒの巻き量を確認する方法として、プリンタの用紙供給軸に残量検知センサーを設け、ロール状ラベル連続体の巻き量が所定の巻き量まで消費することにより、残量検知センサーが検知して巻き量が少ないことを示す信号を出力し、オペレータに注意を促す表示を行いようにしたプリンタがある。
【０００５】
しかしながら、前者の開閉カバーに設けた確認窓からロール状ラベル連続体Ｒの巻き量の確認することは可能であるが、ラベルピッチＬＰの長さが異なるのでラベル片Ｌの大凡の残枚数を把握することが困難である問題がある。
また、後者の用紙供給軸に設けた残量検知センサーにより、巻き量が所定の巻き量まで消費することにより、注意を促すことができるが、同様にラベルピッチＬＰの長さが異なる場合には、ラベル片Ｌの大凡の残枚数を把握することが困難である問題がある。
さらに、残量検知センサーを設けることによるスペースの確保、装置大型化、コストアップという問題がある。
【０００６】
引用文献１には、プリンタの用紙として単葉のシートを収容する収納箱にプリンタの用紙の残量を示す目盛を設けたプリンタ用紙の収納箱がある。
さらに引用文献２には、プリンタの用紙として単葉のシートを収容した透明な給紙用カセットに、目盛を設け、残量を目視できるものがある。
また引用文献３には、ロール状の記録用紙に、残量が確認できるよう数値をまたは目盛を印刷した記録用紙がある。
【０００７】
【特許文献１】特開昭６３−１６７４１３号公報
【特許文献２】特開平１１−１４７６２０号公報
【特許文献３】特開平０６−５５８７６号公報
【発明の開示】
【発明が解決しようとする課題】
【０００８】
本発明は、このような事情に鑑みてなされたもので、帯状の台紙に仮着されたラベル片のラベル枚数に近似する残枚数として把握することができ指標プレートを提供することを課題とする。
また、帯状の台紙に仮着されたラベル片のラベルピッチのサイズが異なる場合においても、極めて近似する残枚数を把握することができ指標プレートを提供することを課題とする。
また、装置を複雑化することなく、部品点数を減らすことにより装置小型化して、装填されたロール状ラベル連続体に仮着されたラベル片を極めて近似する残枚数として把握することができ指標プレートを提供することを課題とする。
【課題を解決するための手段】
【０００９】
本発明は、ロール状ラベル連続体に仮着されたラベル片の枚数を確認することに着目したもので、請求項１の発明の要旨は、帯状の台紙にラベル片が複数仮着されたラベル連続体を円筒状の巻き芯に巻回したロール状ラベル連続体の前記ラベル片のラベル枚数を確認する指標プレートにおいて、指標プレート本体と、この指標プレート本体に、前記ロール状ラベル連続体の前記ラベル片のラベル枚数を確認する指標部と、前記巻き芯の外縁または内縁と同一円形の基準ラインと、を設けたことを特徴とする指標プレートにある。
また請求項２の発明の要旨は、前記指標プレート本体には、前記ラベル片のラベルピッチを表示するピッチ表示部を設けたことを特徴とする請求項１記載の指標プレートにある。
また請求項３の発明の要旨は、前記指標プレート本体には、前記巻き芯の内周面に当接する少なくとも一の突片を設けたことを特徴とする請求項１または２記載の指標プレートにある。
また請求項４の発明の要旨は、前記巻き芯の内周円の直径と同一の貫通口を前記指標プレート本体に形成したことを特徴とする請求項１または２記載の指標プレートにある。
【発明の効果】
【００１０】
本発明の指標プレートは、ロール状ラベル連続体に仮着されたラベル片の残枚数に近似する枚数を把握することができる。
また、プリンタの構造を複雑化することがないので装置小型化して、装填されたロール状ラベル連続体に仮着されたラベル片に近似する残枚数を把握することができる。
また、プリンタに装填されていないロール状ラベル連続体においてもロール状ラベル連続体に仮着されたラベル片に近似する残枚数を把握することができる。
【発明を実施するための最良の形態】
【００１１】
本発明のプリンタを図１ないし図４に基づいて説明する。尚、従来で説明したラベル連続体及びロール状ラベル連続体と同一の部分には同一の符号を付し、説明を省略する。
図１は本発明の第一の実施の形態を示した指標プレートの構成図であり、図２はプリン
タの一例を示した概略構成図であり、図３は本発明の使用例を説明する説明図であり、図
４は本発明の第二の実施の形態を示した指標プレートの使用例を説明する説明図である。
【００１２】
指標プレート１は、指標プレート本体２と、指標部３と、サークルライン（基準ライン）６、ラベルピッチ表示部７と、一対の突片８，８とから構成されている。
指標プレート本体２は、円形の形状から成り、所定の厚みを有する透明なプレートから構成されている。
指標プレート本体２には、後述するプリンタの用紙供給軸に装填される巻き芯９の外縁９ａと同一のラインを描いたサークルライン６と、指標部３としての指標４と、ラベル枚数５が表示されている。
指標４は、円弧状のラインが円形の指標プレート本体２の中心から外方に向けて複数表示されている。ラベル枚数５は、指標４の円弧状のラインに対応して数値として表示され、ラベル片Ｌの近似のラベル枚数としての残枚数を数値で目視可能に表示されている。
【００１３】
指標４は、５つ表示されており、各指標４の右側の近傍にラベル枚数５が表示されている。ラベル片Ｌのラベル枚数５の数値は、指標プレート本体２の中心から外側に向けて「１００」、「２００」、「３００」、「４００」、「５００」と表示されている。
また、指標プレート本体２には、ラベル片Ｌの先端と次のラベルＬの先端の長さ（ラベルピッチ）としてラベルピッチ表示部７が表示されている。
この実施の形態のラベルピッチ表示部７は「２５」として表示されている。「２５」は、ラベルピッチ７の長さとして、２５ｍｍとして表示されている。
尚、指標４は、ラベル枚数５、サークルライン６、ラベルピッチ表示部７は、指標プレート本体２に目視可能に印刷されている。
また一対の突片８，８は、指標プレート本体２の中心を基準として対向する位置に設けられている。一対の突片８，８は、巻き芯９の内周面１２（図３参照）に係合可能して巻き芯９に保持されることができる。
【００１４】
尚、サークルライン６は、巻き芯９の外縁９ａと同一のラインとして説明するが、巻き芯９の内縁９ｂと同一のサークルライン６として表示することができる。また突片８，８は、指標プレート１を操作可能な操作片として手操作することができる。
【００１５】
次に、図2に基づいて指標プレート１を適用するプリンタについて説明する。
プリンタ２０は主に、用紙供給部（用紙供給手段）２１、ピッチ検出部（ピッチ検出手段）２２、印字部（印字手段）２３と、を備えている。
用紙供給部２１は、帯状の台紙Ｄにラベル片Ｌが所定の間隔で複数仮着されたラベル連続体Ｐを巻き芯９に巻回したロール状ラベル連続体Ｒを回転可能に保持する用紙供給軸２４を設けてある。
尚、この実施の形態のラベル連続体Ｐに仮着されたラベルピッチＬＰの長さを２５ｍｍとして用紙供給軸２４に装填する。
用紙供給軸２４は、円柱状の形状を有し、一方端部は立設された中間プレート３０に支持され、他方端部は開放端部を有している。この開放端部からロール状ラベル連続体Ｒを巻回した巻き芯９を嵌挿することができる。
【００１６】
ラベル片Ｌは、感熱発色層を有し、後述するサーマルヘッド２７の発熱体（図示せず）の発熱作用により文字・バーコードを印字可能にしてある。
尚、ラベル片Ｌに感熱発色層を有した例で説明するが、インクフィルムのインクをラベルＬに転写して印字する構成であってもよい。
また、ラベル片Ｌは、紙、合成紙、プラスチック製など印字可能な媒体であれば何れでも採用可能である。
【００１７】
用紙供給部２１から繰り出されたラベル連続体Ｐは、案内ローラ２８およびピッチ検出部２２を介して印字部２３に移送することができる。
【００１８】
ピッチ検出部２２には、ラベル連続体Ｐの移送路の下方に設けられ、ピッチ検出部２２としてのピッチ検出センサー２５が配置されている。ピッチ検出センサー２５は、ラベル連続体Ｐの裏面側に発光部と受光部を配し、ラベル連続体Ｐの裏面（台紙面）に印刷等によって形成されたピッチマーク（黒色の矩形のマーク）Ｍを、受光部の受光量に基づいて検出するようにしている。
ピッチ検出センサー２５は、ピッチマークＭの検出結果を図示しない制御部に信号を供給することができ、ピッチマークＭの検出結果に基づいて印字開始位置などの基準信号とすることができる。尚、ピッチマークＭとピッチマークＭとの間をラベルピッチＬＰとすることができる。
【００１９】
印字部２３には、プラテンローラ２６と、サーマルヘッド２７を備えている。サーマルヘッド２７は、プラテンローラ２６に対し接離自在に設けることができる。
また、プラテンローラ２６には、タイミングベルトを介してステッピングモータ（何れも図示せず）を設けることができる。
ステッピングモータの駆動によりプラテンローラ２６を駆動して、ラベル連続体Ｐを移送してラベル片Ｌに印字することができる。ラベル片Ｌに印字されたラベル連続体Ｐは、プリンタ２０から排出することができる。
【００２０】
尚、用紙供給軸２４、案内ローラ２８、プラテンローラ２６は、プリンタ２０の鉛直方向に設けた中間フレーム３０に対して水平方向に設けられている。また、サーマルヘッド２７は図示しないヘッド支持部材を介して中間フレーム３０に設けられている。さらに、ピッチ検出センサー２５は、図示しない支持部材を介して中間フレーム３０に設けられている。
また、ロール状ラベル連続体Ｒの装填あるいはロール状ラベル連続体Ｒの交換時など容易に行うことができるように開閉カバー２９が設けられている。
図２は開閉カバー２９を上方に開いた状態を示し、開閉カバー２９は、印字発行する時にクローズすることができ、またロール状ラベル連続体Ｒの装填やメンテナンス時には、開閉カバー２９をオープンすることができる。
【００２１】
次に、指標プレート１の第一の使用方法について説明する。
プリンタ２０の用紙供給軸２４に装填されたロール状ラベル連続体Ｒの巻き芯９の外縁９ａに、指標プレート１のサークルライン６を重ねるように指標プレート１を用紙供給軸２４に当接することができる。この時に、突片８，８を手操作で操作することができる。
ロール状ラベル連続体Ｒの最外周ＯＬが指標４のどの位置にあるかを目視で確認することができる。例えば、ロール状ラベル連続体Ｒの最外周ＯＬが中心部に近い方から2番目の指標４に位置するときには、２５ｍｍのラベルピッチＬＰのラベル片Ｌを近似値として、２００枚位、残枚数として把握することができる。
【００２２】
次に、図３に基づいて指標プレート１の第二の使用方法について説明する。
装填されていないロール状ラベル連続体Ｒのラベル片Ｌの残枚数を確認する場合には、指標プレート本体２の一対の突片８，８を巻き芯９の内周面１２に摺接しながら巻き芯９の内方に差し込むことができる。この操作により、ロール状ラベル連続体Ｒの最外周ＯＬが指標４のどの位置にあるかを目視で確認することができる。
このように指標プレート１は、プリンタ２０に装填されたロール状ラベル連続体Ｒのラベル片Ｌの大凡の残枚数あるいは装填されていないロール状ラベル連続体Ｒについても容易にラベル片Ｌの残枚数を確認することができる。
【００２３】
第二の実施の形態としての指標プレート１０について図４に基づいて説明する。ただし、第一の実施の形態と同一の部分には同一の符号を付し、説明を省略する。
指標プレート１０は、指標プレート本体１１と、指標部３と、ピッチ表示部７と、貫通口１３とから構成されている。
貫通口１３は、巻き芯９の内縁９ｂと同一またはやや大きな直径を有した円形状の形状に切り欠いて形成することができる。指標プレート本体１１の貫通口１３は、プリンタ２０の用紙供給軸２４に嵌合して貫通することができる。
【００２４】
次に、図４に基づいて第二の実施の形態の指標プレート１０の使用方法について説明する。
プリンタ２０の用紙供給軸２４にロール状ラベル連続体Ｒ（図４中一点鎖線）を装填し、次に、指標プレート本体１１の貫通口１３を用紙供給軸２４に嵌合し差込、ロール状ラベル連続体Ｒの側面に位置決めすることができる。
位置決め手段として、例えば、指標プレート本体１１に貫通口１３に向けて突出する係止片（図示せず）を設け、用紙供給軸２４には、係止片に係合する凹凸状の係合面を形成して係止片を係合させて位置決めすることができる。
このように形成した指標プレート１０は、プリンタ２０の用紙供給軸２４に位置決めできるので、装填されたロール状ラベル連続体Ｒの側面に当接して、印字発行中においてもラベル片Ｌの残枚数を確認することができる。
図４は指標プレート１０をプリンタ２０の用紙供給軸２４に嵌合し差込みした状態であり、一点鎖線で示したロール状ラベル連続体Ｒの最外周ＯＬの位置が、ラベル枚数５の「３００」の位置にあり、大凡、３００枚のラベル片Ｌがあることが把握することができる。
【００２５】
この実施の形態は、ラベルピッチ２５ｍｍ用の長のラベル連続体に適合する指標プレートとして説明をしたが、ラベルピッチＬＰ長さに応じて、指標部３の指標の位置を変更して、指標プレートを作成することができ、ラベルピッチＬＰの長さに応じた指標プレートを使用することができる。
【００２６】
この実施の形態の指標プレートの突片は、一対の突片として二つ設けた例で説明したが、二つ以上設けることができる。また、一つの突片をサークル状あるいは多角形状に設けて巻き芯の内周面に位置決めすることができる。
また、サークラインは、円形状のラインとして説明したが、円弧状のサークルラインであってもよい。
【００２７】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００２８】
【図１】本発明の第一の実施の形態を示した指標プレートの構成図であり、（ａ）指標プレートの平面図である。（ｂ）指標プレートの側面図である。
【図２】プリンタの一例を示す概略構成図である。
【図３】本発明の使用例を説明する説明図である。
【図４】同上、第二の実施の形態を示した指標プレートの使用例を示した説明図である。
【図５】ロール状ラベル連続体から引き出されたラベル連続体の斜視図である。
【符号の説明】
【００２９】
１      指標プレート（第一の実施の形態）
２      指標プレート本体
３      指標部
４      指標
５      ラベル枚数（数値）
６      サークルライン（基準ライン）
７      ピッチ表示部（ラベルピッチの表示）
８      突片
９      巻き芯
９ａ    外縁
９ｂ    内面
１０      指標プレート（第二の実施の形態）
１１      指標プレート本体  
１２      内周面（巻き芯）
１３      貫通口
２０      プリンタ
２４      用紙供給軸
Ｄ      帯状の台紙
Ｌ      ラベル片
Ｐ      ラベル連続体
Ｒ      ロール状ラベル連続体
ＯＬ      最外周
ＬＰ      ラベルピッチ
【図１】
2008207950.tif 000003
【図２】
2008207950.tif 000004
【図３】
2008207950.tif 000005
【図４】
2008207950.tif 000006
【図５】
2008207950.tif 000007